(57)【要約】【課題】チョークで効率的に充填されるように形成されたチョークライン装置、及び容易であり且つ更に効率的に使用されるチョークリフィル容器を提供する。【解決手段】チョークをチョークリフィル容器（１２）から受け取るようになったチョークライン装置（１０）は、少なくとも一つの開口部（３０）を形成する本体（１４）及びこの本体内に配置されたチョークライン（２２）を含む。開口部と隣接して設けられた取り付け構造は、チョークリフィル容器（１２）と密封をなして係合するように形成されており、これによって、チョークリフィル容器（１２）内のチョークを、チョークリフィル容器（１２）への取り付け構造の係合部を通して、零すことなく、チョークライン装置（１０）に全部入れることができる。リフィル容器は、容器の開口部に沿って延びるフランジを有し、取り外し可能なカバー（６６）でシールされる。扉（３６）が、扉（３６）の開閉がリフィル容器（１２）の着脱と協働するように取り付け構造に摺動可能に取り付けられている。【選択図】図１
2004504171.tif 000002
【特許請求の範囲】
【請求項１】
チョークリフィル容器（１２）からチョークを受け入れることができるチョークライン装置（１０）であって、
前記チョークライン装置は、
ａ）少なくとも一つの開口部（３０）を形成する本体（１４）と、
ｂ）前記本体内に配置されたチョークライン（２２）と、
ｃ）前記チョークライン装置を前記チョークリフィル容器に密封をなして連結するための連結手段（２６）とを備え、
前記連結手段を前記チョークリフィル容器に連結することによって、前記チョークリフィル容器（１２）内のチョーク（６０）を、ほぼ零すことなく前記チョークライン装置（１０）に入れることができることを特徴とするチョークライン装置。
【請求項２】
請求項１に記載のチョークライン装置において、
前記連結手段は、前記本体に沿って延びる平行であり且つ間隔が隔てられた二つの軌道（２８）を含み、前記チョークリフィル容器は、前記平行であり且つ間隔が隔てられた二つの軌道を介して前記本体に連結されることを特徴とするチョークライン装置。
【請求項３】
請求項２に記載のチョークライン装置において、
前記チョークライン装置は、さらに、
ａ）前記二つの軌道（２８）と係合する扉（３６）を備え、前記扉は、前記少なくとも一つの開口部（３０）をシールする閉鎖位置と前記少なくとも一つの開口部が露呈された開放位置との間で移動可能であり、ｂ）前記扉（３６）は、前記チョークリフィル容器を前記二つの軌道に滑り込ませてこれらの軌道と係合させたときに、前記チョークリフィル容器（１２）によって開放され、
ｃ）前記扉を前記少なくとも一つの開口部（３０）がシールされる閉鎖位置まで押したとき、前記チョークリフィル容器（１２）が、前記扉（３６）によって、前記チョークライン装置（１０）と係合した状態から外されることを特徴とするチョークライン装置。
【請求項４】
請求項２に記載のチョークライン装置において、
前記二つの軌道（２８）の各々は、全体に平らな部分（２６Ａ）及び全体に湾曲した部分（２６Ｂ）を含み、前記扉（３６）の長さは、概ね、前記平らな部分の長さを超えており、これにより、前記扉が前記湾曲部分と干渉することによって前記扉が誤って開放することがないようにすることを特徴とするチョークライン装置。
【請求項５】
請求項４に記載のチョークライン装置において、
前記扉（３６）は可撓性であり、前記扉を前記開放位置まで移動させたときに前記湾曲部分（２６Ｂ）の湾曲と形態がほぼ一致することを特徴とするチョークライン装置。
【請求項６】
請求項４に記載のチョークライン装置において、
前記扉（３６）は複数のセグメント（３６Ａ）を含み、一体ヒンジ（３６Ｂ）が隣接するセグメントを連結することを特徴とするチョークライン装置。
【請求項７】
請求項３に記載のチョークライン装置において、
ａ）前記少なくとも一つの開口部は、第１縁部（３２）及び第２縁部（３４）を含み、
ｂ）前記本体（１４）は、前記第１及び第２の縁部の一方と隣接した凹所（３８）を含み、
ｃ）前記扉（３６）は、第１端（４２）、第２端（４４）及び内面（５６）を有し、前記内面には前記第１端（４２）と隣接して第１戻り止め（４６）が配置されており、前記内面には前記第２端（４４）と隣接して第２戻り止め（４８）が配置されており、前記第１戻り止め（４６）は扉閉鎖位置で前記凹所（３８）と係止係合し、前記第２戻り止め（４８）は扉開放位置で前記凹所（３８）と係止係合することを特徴とするチョークライン装置。
【請求項８】
請求項７に記載のチョークライン装置において、
前記扉（３６）は、前記内面（５６）に前記第２端（４４）と隣接してストッパ（５２）を含み、前記ストッパは前記第１縁部（３２）と係合して前記扉（３６）の開放を制限し、前記ストッパは前記第２縁部（３４）と係合して前記扉の閉鎖を制限することを特徴とするチョークライン装置。
【請求項９】
請求項３に記載のチョークライン装置において、
ａ）前記本体（１４）は中空キャビティ（２４）を有し、
ｂ）前記本体は前記少なくとも一つの開口部（３０）を含み、
ｃ）前記扉（３６）は壁上を摺動し、全体に前記キャビティの外部に配置され、
ｄ）前記扉の端部は前記チョークリフィル容器（１２）と係合するために露呈されていることを特徴とするチョークライン装置。
【請求項１０】
請求項７に記載のチョークライン装置において、
前記チョークライン装置は、さらに、前記第２縁部（３４）と隣接した凹所（４０）を備え、前記リフィル容器（１２）に設けられた戻り止めが、前記第２縁部と隣接した前記凹所によって受け入れられることによって、チョークリフィル容器（１２）を前記チョークライン装置（１０）と係止係合状態で固定できることを特徴とするチョークライン装置。
【請求項１１】
請求項１に記載のチョークライン装置において、
前記チョークライン装置本体（１４）は、所定の長さ、所定の幅、及びリフィル開口部（３０）を有し、このリフィル開口部は所定の長さ及び所定の幅を有し、前記リフィル開口部の長さは前記本体の長さの約半分であり、前記リフィル開口部の幅は前記本体の実質的に全幅に亘って延びていることを特徴とするチョークライン装置。
【請求項１２】
計量された量のチョークをチョークライン装置（１０）に分配するためのチョークリフィル容器（１２）であって、
前記チョークライン装置は、前記チョークリフィル容器に連結するための受け器を有し、
前記チョークリフィル容器は、
ａ）開口部（７４）を持つ、チョーク（６０）を入れておくための容器ハウジング（５８）と、
ｂ）前記容器ハウジング内のチョーク（６０）と、
ｃ）前記容器ハウジング（５８）を前記チョークライン装置に連結するための手段（６２）と、
ｄ）前記容器ハウジングに解放可能に固定されており且つ前記容器開口部をシールする取り外し可能なカバー（６６）とを備え、
前記チョークリフィル容器は、前記連結手段を介してチョークライン装置（１０）に連結されることを特徴とするチョークリフィル容器。
【請求項１３】
請求項１２に記載のチョークリフィル容器において、
前記連結手段（６２）は前記容器開口部（７４）に沿って延びるフランジであることを特徴とするチョークリフィル容器（１２）。
【請求項１４】
請求項１２に記載のチョークリフィル容器において、
前記容器ハウジング（５８）は透明であり、これによって、使用者は、前記チョークライン装置内に全部入れたチョークを観察できることを特徴とするチョークリフィル容器。
【請求項１５】
請求項１２に記載のチョークリフィル容器において、
ａ）前記容器ハウジング開口部（７４）は矩形形状であり、
ｂ）前記容器ハウジングは、前記容器ハウジング開口部（７４）の長さに沿って延びる一対のフランジ（６２）を含み、
ｃ）前記チョークリフィル容器（１２）は、前記フランジ（６２）が前記チョークライン装置（１０）に設けられた軌道（２８）と嵌合することによって前記チョークライン装置（１０）に連結されることを特徴とするチョークリフィル容器。
【請求項１６】
請求項１２に記載のチョークリフィル容器において、
前記取り外し可能なカバー（６６）は、ホイルでできており、取り外し可能な接着剤（６４）によって前記フランジ（６２）に沿って及び前記チョークリフィル容器（１２）の前記開口部（７４）に亘ってシールされていることを特徴とするチョークリフィル容器。
【請求項１７】
請求項１５に記載のチョークリフィル容器において、
前記フランジ（６２）は折れ易い部分（７２）を含み、前記容器ハウジング開口部は、前記折れ易い部分を前記フランジ（６２）から分離し、前記取り外し可能なカバー（６６）を前記フランジから引き剥がすことによって、露呈されることを特徴とするチョークリフィル容器。
【請求項１８】
チョーク分配システムであって、
ａ）前記チョーク分配システムは、チョークリフィル容器（１２）を備え、前記チョークリフィル容器は、
ｉ）計量された量のチョークを収容するための、リフィル容器開口部（７４）を形成するチョークリフィル容器ハウジング（５８）と、
ｉｉ）前記容器ハウジング内のチョーク（６０）と、
ｉｉｉ）前記リフィル容器開口部（７４）に沿って延びるフランジ（６２）と、
ｉｖ）前記容器ハウジング（５８）に固定されており、前記リフィル容器開口部（７４）をシールする取り外し可能なカバー（６６）とを含み、
ｂ）前記チョーク分配システムは、また、チョークライン装置（１０）を備え、前記チョークライン装置は、
ｉ）開口部（３０）を形成するチョークライン装置本体（１４）と、
ｉｉ）前記チョークライン装置本体内に配置されたチョークライン（２２）と、
ｉｉｉ）前記装置本体の前記開口部の両側に設けられた、前記リフィル容器フランジ（６２）と摺動可能に係合するように形成された係合部分（２８）を含む第１及び第２のレール（２６）とを含み、
ｃ）前記チョーク（６０）は、前記取り外し可能なカバー（６６）を取り外すことによって前記リフィル容器開口部（７４）を露呈し、前記フランジ（６２）を前記係合部分（２８）に連結し、前記チョークリフィル容器を逆様にすることによって、前記チョークリフィル容器（１２）から前記チョークライン装置本体（１４）に分配されることを特徴とするチョーク分配システム。
【請求項１９】
請求項１８に記載のチョーク分配システムにおいて、
ａ）前記チョークライン装置は、さらに、前記係合部分（２８）と係合する扉（３６）を備え、、前記扉は、前記チョークライン装置本体開口部（３０）を前記扉がシールする閉鎖位置と前記チョークライン装置本体開口部が露呈される開放位置との間で移動可能であり、
ｂ）前記扉（３６）は、前記チョークリフィル容器が摺動して前記係合部分（２８）と係合したとき、前記チョークリフィル容器（１２）によって開放され、
ｃ）さらに、前記チョークリフィル容器（１２）は、前記扉を前記閉鎖位置まで押したときに前記扉（３６）によって前記チョークライン装置（１０）と係合した状態から外れることを特徴とするチョーク分配システム。
【請求項２０】
請求項１８に記載のチョーク分配システムにおいて、
前記係合部分（２８）は一対の軌道を含み、前記一対の軌道は、全体に平らな部分（１４Ａ）及び全体に湾曲した部分（１４）を有し、前記扉（３６）の長さは、前記平らな部分の長さを概ね超えており、これによって、前記扉は、前記湾曲部分と干渉することにより前記扉が誤って開放しないようにすることを特徴とするチョーク分配システム。
【発明の詳細な説明】
【０００１】
【発明の属する技術分野】
本発明はチョークライン装置に関し、特に、チョークライン装置及びこれと嵌合するチョークリフィル容器に関する。
【０００２】
【従来の技術】
建設産業では、丸太の切断及び計測を行うために丸太材に線を引くのにチョークライン装置が使用される。従来技術の装置は、多くの場合、本体に巻き付けたチョークラインが入った、ハウジング又は本体を含む。着色したチョークを含むチョークライン装置を本体の小さな開口部から引き出すことができる。チョークラインを引くため、チョークライン装置の端部に設けられたクリップを丸太の端部にフック止めできる。従来、チョークライン装置は、チョークリフィルボトルの先端をチョークライン装置本体の比較的小さな開口部に挿入することによってチョークが補充される。チョークライン装置本体が小さく、リフィル（すなわち、再充填または詰め替え）を頻繁に行う必要があるため、職人は、多くの場合、チョークライン装置を再充填するために大きな、３．７８５リットル（１ガロン）のチョーク容器を離れた場所まで運ばなければならない。
【０００３】
現存のチョークライン装置は、開口部が小さいため、再充填中にチョークがよく零れる。大量のチョークがリフィルボトルのノズルを通って吹き出し、チョークライン装置から出て辺りを汚してしまうことがある。更に、チョークが水分により硬くなってしまい、再充填を困難にしてしまうことがある。現在のリフィルボトルは大きく、扱いにくい。このように、工具袋に入れて便利に持ち運ぶことができない。従って、職人は、代表的には、チョークライン装置リフィルを持ち運ばず、多くの場合、リフィル容器から離れた場所でチョークを切らしてしまう。更に、職人は、どれ程多くのチョークをチョークライン装置本体に入れておかなければならないのかを計測することが困難である。その結果、チョークライン装置は、その理想的容量以上に充填される。かくして、更に効率的であり且つ使用が容易なチョークライン装置及びチョークリフィル容器システムを提供する必要が長いこと満たされなかった。
【０００４】
【発明が解決しようとする課題】
本発明の目的は、チョークで効率的に充填されるように形成されたチョークライン装置を提供することである。
【０００５】
本発明の別の目的は、容易であり且つ更に効率的に使用されるチョークリフィル容器を提供することである。
【０００６】
【課題を解決するための手段】
従って、本発明は、チョークリフィル容器を使用して再充填されるようになった本体を持つチョークライン装置を提供する。チョークラインは、チョークライン装置本体内に巻いてある。チョークライン装置本体のリフィル開口部の近くに連結構造が設けられている。扉が連結構造と作動的に係合し、開口部をシール（密閉）する。
【０００７】
本発明は、更に、チョークライン装置本体の連結構造と係合するための一対の向かい合ったフランジを持つチョークリフィル容器を提供する。フランジ間に開口部が設けられており、容器の開口部をシールするための取り外し可能なカバーがフランジに取り外し可能に固定されている。作動にあたっては、カバーを取り外し、フランジをチョークライン装置と係合させることによってチョークリフィル容器をチョークライン装置に連結する。連結されたユニットを逆様にすることによって、チョークを連結されたチョークリフィル容器からチョークライン装置に分配する。
【０００８】
【発明の実施の形態】
図１は、本発明に従って形成した、その全体を参照番号１０で示したチョークライン装置と、チョークリフィル）容器（すなわち、チョーク詰め替え容器またはチョーク再充填容器）１２を示す。図２に示すように、チョークライン装置１０は、従来のスプール１６が取り付けられたチョークラインハウジング１４を有する。チョークライン２２がスプール１６に巻き付けてある。クリップ１８（図１参照）がチョークライン２２の端部に連結されており、印が付けられるべき例えば丸太等の材料へのチョークラインの取り付けを容易にする。好ましい実施例によれば、ハウジング１４は、チョークリフィル容器１２の取り付けを容易にする全体に平らな取り付け面１４Ａを有する。
【０００９】
図２は、スプール１６に連結されたクランク２０を示す。このクランク２０を操作してチョークライン２２をスプール１６に巻き付けることによって、チョークライン２２をチョークラインハウジング１４のキャビティ２４内に引っ込める。チョークラインハウジング１４は、ほぼ平行な一対のフランジ２６によって境界付けられたリフィル開口部３０を有する。これらのフランジ２６は、チョークラインハウジング１４の側部に沿って延びる向き合った軌道を形成し、少なくともリフィル開口部３０の全長に亘って延びている。
【００１０】
図３は、表面１４Ａの第１縁部３２に形成された第１凹所３８を示す。同様に、第２凹所が表面１４Ａの第２縁部３４に形成されている。好ましい実施例（図９Ａ参照）によれば、フランジ２６は、全体に平らな部分２６Ａ及び全体に湾曲した部分２６Ｂを含む。
【００１１】
次に、チョークライン扉３６を図３乃至図６、及び図９Ａ乃至図１１Ｂを参照して説明する。チョークライン扉３６は第１端４２及び第２端４４を有する。扉３６は、向き合った軌道２８内を移動するように形成されている。好ましくは、扉３６は弾性の可撓性材料で形成されており、扉３６は、部分２６Ｂの湾曲と形態が一致する。別の態様では、扉３６は、扉３６の形態を部分２６Ｂの湾曲と一致できるように、隣接したセグメントが一体ヒンジ（丁番）３６Ｂによって連結された複数のセグメント３６Ａを含む。図１０を参照されたい。
【００１２】
扉３６の長さが全体に平らな部分２６Ａの長さを僅かに越えるように定められた扉３６の好ましい特徴を図９Ａ及びＢを参照して説明する。図９Ａは、扉３６がリフィル開口部３０をシール（密閉）する閉鎖位置にあるチョークライン装置１０を示す。この状態では、扉３６の部分３６Ｃが湾曲部分２６Ｂ内に延びている。扉が閉鎖位置にあるとき、部分２６Ｂの湾曲及び部分３６Ｃ間の干渉により、矢印４５Ａが示す方向に圧力が及ぼされ、これによって扉３６の開放に対して抵抗が提供される。この方法では、扉３６が誤って開放されることが回避される。
【００１３】
更に、扉３６が開放位置（図９Ｂ参照）に引っ込められたとき、扉３６は、湾曲部分２６Ｂと形態が一致するように変形する。扉３６の形態がチョークラインハウジング１４の外面と一致し且つこの外面から遠ざかる方向に延びないようにすることによって、扉が引っ掛かったり壊れたりしないようにする。
【００１４】
次に図４を参照すると、第１戻り止め４６が扉３６に端部４２と隣接して設けられており、第２戻り止め４８が扉３６に端部４４と隣接して設けられている。図３で最もよくわかるように、扉３６が閉鎖位置にあるとき、第１戻り止め４６は第１凹所３８と係合し、第２戻り止め４８は第２凹所４０と係合する。戻り止め４６、４８が対応する凹所３８、４０と係合することにより、扉３６が誤って開放されることをさらになくす。
【００１５】
扉３６は、チョークライン扉３６の外面５４に取り付けられたリップ５０により容易に開放される。図４及び図５を参照されたい。チョークライン扉３６の内面５６に取り付けられたストッパ５２は、第２縁部３４と係合するように形成されており、これによってチョークライン扉３６の開閉方向での移動範囲を制限する。図６は、ストッパ５２が表面１４Ａの第１縁部３２と係合し、チョークライン扉３６の移動を制限する開放位置でチョークライン扉３６を示す。
【００１６】
図７は、チョーク６０を収容するリフィル容器ハウジング５８を特徴とするチョークリフィル容器１２を示す。容器ハウジング５８は開口部７４を特徴とし、好ましくはプラスチック等の透明材料で形成されている。チョークリフィルフランジ６２がリフィル容器ハウジング５８の側部に沿って位置決めされている。シーリング材料６６がチョークリフィル容器１２の開口部７４を覆っており、例えば接着剤６４によってチョークリフィルフランジ６２に取り付けられている。
【００１７】
図８は、多数の個々のチョークリフィル容器１２を、個々のチョークリフィル容器１２の迅速な充填及びシールを容易にする一部品ユニット６８として成形する方法を示す。
【００１８】
隣接した容器１２のフランジ６２間に設けられたミシン目線７０により、一部品ユニット６８からの個々のチョークリフィル容器１２の分離を容易にする。更に、各容器１２のチョークリフィルフランジ６２には、シーリング材料６６を取り外し易くするための折れ易い部分７２が設けられている。使用にあたっては、この折れ易い部分７２をフランジ６２から分離した後、シーリング材料６６をフランジ６２から引き剥がし、開口部７４を露呈する。
【００１９】
次に、図１、図２、図１１Ａ、入及び図１１Ｂを参照してチョークライン装置１２内へのチョークの装入を説明する。チョークを本発明に従って装入するには、チョークライン装置１０をリフィル容器１２にシール可能に連結することを必要とする。これは、チョークリフィル容器１２（シーリング材料６６が取り外してある）をフランジ６２（図７参照）がチョークラインハウジング１４の軌道２８（図２及び図１１Ａ参照）と係合するように配向した状態でチョークライン扉３６（図３参照）を下に向けた状態にチョークライン装置１０を保持することによって行われる。この動作によりチョークライン扉３６は開放位置（図６及び図１１Ｂ参照）まで強制的に移動される。チョークライン扉３６は、リフィル容器１２を軌道２８に沿って更に押すと徐々に押し開けられる。次いで、チョークライン装置１０がチョークリフィル容器１２に連結された、アッセンブリ全体を引っ繰り返し、リフィル容器１２内のチョークを全てチョークライン装置１０のキャビティ２４（図２参照）に入れる。
【００２０】
好ましい実施例によれば、リフィル容器１２には計量された量のチョークが入っている。この方法でチョークラインハウジング１４の過剰充填を防ぐ。更に、チョークリフィルフランジ６２をチョークライン装置の軌道２８と係合させることにより、チョークがほとんど零れないようにする。
【００２１】
計量された量のチョークを装入した後、扉３６を閉鎖することによってチョークラインハウジング１４を再シールする。重要なことは、扉３６がチョークリフィル容器１２を軌道２８に沿って押すということである。このように、チョークリフィル容器１２の取り外しと同時に扉３６が閉鎖され、これによってチョークが零れないようにする。
【００２２】
本発明の様々な実施例を示し且つ説明したけれども、この他の変更、入替え、及び変形は当業者に明らかである。このような変更、入替え、及び変形は、特許請求の範囲によって決定されなければならない本発明の精神及び範囲から逸脱することなく行うことができる。
【図面の簡単な説明】
【図１】チョークライン装置及びリフィル位置決めに滑り込ませるチョークリフィル容器の斜視図である。
【図２】図１のチョークライン装置及びチョークリフィル容器の別の斜視図である。
【図３】扉が閉鎖位置にあるチョークライン装置の側面図である。
【図４】チョークライン装置の扉の斜視図である。
【図５】チョークライン装置の扉の側面図である。
【図６】扉が開放位置にある図３のチョークライン装置の側面図である。
【図７】図１の７−７線に沿った図１のチョークリフィル容器の断面図である。
【図８】一組のチョークリフィル容器の斜視図である。
【図９】図９Ａは、扉が閉鎖位置にあるチョークライン装置の斜視図である。図９Ｂは、扉が開放位置にあるチョークライン装置の斜視図である。
【図１０】図９Ａ及びＢのチョークライン装置の扉の斜視図である。
【図１１】図１１Ａは、チョークリフィル容器をリフィル位置に滑り込ませるときのチョークライン装置及びチョークリフィル容器の斜視図である。図１１Ｂは、１１Ａのチョークライン装置及びチョークリフィル容器の別の斜視図である。
【符号の説明】
１０　　チョークライン装置　　　　　１２　　チョークリフィル容器
１４　　チョークラインハウジング　　１４Ａ　取付け面
１６　　スプール　　　　　　　　　　１８　　クリップ
２０　　クランク　　　　　　　　　　２２　チョークライン
２４　　キャビティ　　　　　　　　　２６　フランジ
２６Ａ　平らな部分　　　　　　　　　２６Ｂ　湾曲部分
２８　　軌道　　　　　　　　　　　　３０　　リフィル開口部
３２　　第１縁部　　　　　　　　　　３４　　第２縁部
３６　　チョークライン扉　　　　　　３６Ａ　複数のセグメント
３６Ｂ　一体ヒンジ　　　　　　　　　　３８　　第１凹所
４０　　第２凹所　　　　　　　　　　４２　　第１端
４４　　第２端　　　　　　　　　　　４６　　第１戻り止め
４８　　第２戻り止め　　　　　　　　５２　　ストッパ
５６　　内面　　　　　　　　　　　　５８　　リフィル容器ハウジング
６０　　チョーク　　　　　　　　　　６２　　チョークリフィルフランジ
６４　　接着剤　　　　　　　　　　　６６　　シーリング材料
７２　　折れやすい部分　　　　　　　７４　　開口部
【国際公開パンフレット】
2004504171.tif 000003
2004504171.tif 000004
2004504171.tif 000005
2004504171.tif 000006
2004504171.tif 000007
2004504171.tif 000008
2004504171.tif 000009
2004504171.tif 000010
2004504171.tif 000011
2004504171.tif 000012
2004504171.tif 000013
2004504171.tif 000014
2004504171.tif 000015
2004504171.tif 000016
2004504171.tif 000017
2004504171.tif 000018
2004504171.tif 000019
2004504171.tif 000020
2004504171.tif 000021
2004504171.tif 000022
【国際公開パンフレット（コレクトバージョン）】
2004504171.tif 000023
2004504171.tif 000024
【手続補正書】
【提出日】平成14年6月25日(2002.6.25)
【手続補正１】
【補正対象書類名】明細書
【補正対象項目名】特許請求の範囲
【補正方法】変更
【補正の内容】
【特許請求の範囲】
【請求項１】
チョークリフィル容器（１２）からチョークを受け入れることができるチョークライン装置（１０）であって、
前記チョークライン装置は、
ａ）少なくとも一つの開口部（３０）を形成する本体（１４）と、
ｂ）前記本体内に配置されたチョークライン（２２）と、
ｃ）前記チョークリフィル容器が実質的に前記チョークライン装置の外部に配置された状態で、前記チョークライン装置を前記チョークリフィル容器に密封をなして連結するための連結手段（２６）とを備え、前記連結手段は、前記本体に沿って延びる軌道（２８）を含んでおり、
前記チョークリフィル容器は、前記本体に前記軌道を介して連結されており、前記連結手段を前記チョークリフィル容器に連結することによって、前記チョークリフィル容器（１２）内のチョーク（６０）を、ほぼ零すことなく、前記チョークライン装置（１０）に入れることができることを特徴とするチョークライン装置。
【請求項２】
請求項１に記載のチョークライン装置において、
前記軌道は、前記本体に沿って延びる平行であり且つ間隔が隔てられた二つの軌道を含むことを特徴とするチョークライン装置。
【請求項３】
請求項２に記載のチョークライン装置において、
前記チョークライン装置は、さらに、
ａ）前記二つの軌道（２８）と係合する扉（３６）を備え、前記扉は、前記少なくとも一つの開口部（３０）をシールする閉鎖位置と前記少なくとも一つの開口部が露呈された開放位置との間で移動可能であり、
ｂ）前記扉（３６）は、前記チョークリフィル容器を前記二つの軌道に滑り込ませてこれらの軌道と係合させたときに前記チョークリフィル容器（１２）によって開放され、
ｃ）前記扉を前記少なくとも一つの開口部（３０）がシールされる閉鎖位置まで押したとき、前記チョークリフィル容器（１２）が、前記扉（３６）によって、チョークライン装置（１０）と係合した状態から外されることを特徴とするチョークライン装置。
【請求項４】
請求項２に記載のチョークライン装置において、
前記二つの軌道（２８）の各々は、全体に平らな部分（２６Ａ）及び全体に湾曲した部分（２６Ｂ）を含み、前記扉（３６）の長さは、概ね、前記平らな部分の長さを超えており、前記扉が前記湾曲部分と干渉することによって前記扉が誤って開放することがないようにすることを特徴とするチョークライン装置。
【請求項５】
請求項４に記載のチョークライン装置において、
前記扉（３６）は可撓性であり、前記扉を前記開放位置まで移動させたときに前記湾曲部分（２６Ｂ）の湾曲と形態がほぼ一致することを特徴とするチョークライン装置。
【請求項６】
請求項４に記載のチョークライン装置において、
前記扉（３６）は複数のセグメント（３６Ａ）を含み、一体ヒンジ（３６Ｂ）が隣接するセグメントを連結することを特徴とするチョークライン装置。
【請求項７】
請求項３に記載のチョークライン装置において、
ａ）前記少なくとも一つの開口部は、第１縁部（３２）及び第２縁部（３４）を含み、
ｂ）前記本体（１４）は、前記第１及び第２の縁部の一方と隣接した凹所（３８）を含み、
ｃ）前記扉（３６）は、第１端（４２）、第２端（４４）及び内面（５６）を有し、前記内面には前記第１端（４２）と隣接して第１戻り止め（４６）が配置されており、前記内面には前記第２端（４４）と隣接して第２戻り止め（４８）が配置されており、前記第１戻り止め（４６）は扉閉鎖位置で前記凹所（３８）と係止係合し、前記第２戻り止め（４８）は扉開放位置で前記凹所（３８）と係止係合することを特徴とするチョークライン装置。
【請求項８】
請求項７に記載のチョークライン装置において、
前記扉（３６）は、前記内面（５６）に前記第２端（４４）と隣接してストッパ（５２）を含み、前記ストッパは前記第１縁部（３２）と係合して前記扉（３６）の開放を制限し、前記ストッパは前記第２縁部（３４）と係合して前記扉の閉鎖を制限することを特徴とするチョークライン装置。
【請求項９】
請求項３に記載のチョークライン装置において、
ａ）前記本体（１４）は中空キャビティ（２４）を有し、
ｂ）前記本体は前記少なくとも一つの開口部（３０）を含み、
ｃ）前記扉（３６）は壁上を摺動し、全体に前記キャビティの外部に配置され、ｄ）前記扉の端部は前記チョークリフィル容器（１２）と係合するために露呈されていることを特徴とするチョークライン装置。
【請求項１０】
請求項７に記載のチョークライン装置において、
前記チョークライン装置は、さらに、前記第２縁部（３４）と隣接した凹所（４０）を備え、、前記リフィル容器（１２）に設けられた戻り止めが前記第２縁部と隣接した前記凹所によって受け入れられることによって、チョークリフィル容器（１２）を前記チョークライン装置（１０）と係止係合状態で固定できることを特徴とするチョークライン装置。
【請求項１１】
請求項２に記載のチョークライン装置において、
前記チョークライン装置本体（１４）は、所定の長さ、所定の幅、及びリフィル開口部（３０）を有し、このリフィル開口部は所定の長さ及び所定の幅を有し、前記リフィル開口部の長さは前記本体の長さの約半分であり、前記リフィル開口部の幅は前記本体の実質的に全幅に亘って延びていることを特徴とするチョークライン装置。
【請求項１２】
計量された量のチョークをチョークライン装置（１０）に分配するためのチョークリフィル容器（１２）であって、
前記チョークライン装置は、周囲を形成する所定の幅及び所定の長さを持つチョークリフィル開口部を有し、さらに、前記チョークリフィル容器に連結するための軌道を含み、前記軌道は、前記開口部の前記長さに沿って延びており、
前記チョークリフィル容器は、
ａ）チョーク（６０）を入れておくための容器ハウジング（５８）を備え、
前記容器ハウジング（５８）は開口部（７４）を有しており、前記開口部（７４）は周囲を形成しており、前記容器ハウジングの開口部（７４）の周囲は、前記チョークライン装置の周囲とほぼ同じになっており、
前記チョークリフィル容器は、また、
ｂ）前記容器ハウジング内のチョーク（６０）と、
ｃ）前記チョークリフィル容器が実質的に前記チョークライン装置の外部に配置された状態で、前記容器ハウジング（５８）を前記チョークライン装置に連結するための連結手段（６２）とを備え、前記連結手段は、前記開口部（７４）の長さに沿って延びる一対のフランジ（６２）を含んでおり、
前記チョークリフィル容器は、さらに、
ｄ）前記容器ハウジングに解放可能に固定され且つ前記容器開口部をシールする取り外し可能なカバー（６６）を備え、前記取り外し可能なカバー（６６）は、一工程引き剥がし動作で取り外され、
前記チョークリフィル容器は、前記フランジ（６２）を前記軌道（２８）と嵌合することによってチョークライン装置（１０）に連結されることを特徴とするチョークリフィル容器。
【請求項１３】
請求項１２に記載のチョークリフィル容器において、
前記容器ハウジング（５８）は透明であり、これによって、使用者は、前記チョークライン装置内に全部入れたチョークを観察できることを特徴とするチョークリフィル容器。
【請求項１４】
請求項１２に記載のチョークリフィル容器において、
前記容器ハウジング開口部（７４）は矩形形状であることを特徴とするチョークリフィル容器。
【請求項１５】
請求項１２に記載のチョークリフィル容器において、
前記取り外し可能なカバー（６６）はホイルでできており、取り外し可能な接着剤（６４）によって前記フランジ（６２）に沿って及び前記チョークリフィル容器（１２）の前記開口部（７４）に亘ってシールされていることを特徴とするチョークリフィル容器。
【請求項１６】
請求項１３に記載のチョークリフィル容器において、
前記フランジ（６２）は折れ易い部分（７２）を含み、前記容器ハウジング開口部は、前記折れ易い部分を前記フランジ（６２）から分離し、前記取り外し可能なカバー（６６）を前記フランジから引き剥がすことによって露呈されることを特徴とするチョークリフィル容器。
【請求項１７】
請求項１２に記載のチョークリフィル容器において、
前記開口部（７４）は、前記チョークライン装置の扉が開放位置まで変位することができる部分を含み、前記扉を前記閉鎖位置まで移動させると、前記扉は前記部分と係合してこれを変位させ、前記容器を前記チョークライン装置から放出することを特徴とするチョークリフィル容器。
【国際調査報告】
2004504171.tif 000025
2004504171.tif 000026
2004504171.tif 000027